(57)【特許請求の範囲】
【請求項１】
電気絶縁性のブロック体の表側、裏側の夫々に平衡伝送可能に対をなすコンタクト対が複数組み配され、且つ、この複数組みのコンタクト対が、信号を出力するための複数の出力信号用コンタクト対と信号を入力するための複数の入力信号用コンタクト対とに分けられて組み込まれるコンタクト組立体と、
一側の表面、裏面の夫々に前記出力信号用コンタクト対、前記入力信号用コンタクト対が接続される入力信号用、出力信号用コンタクト接続パッドが形成され、他側の表面、裏面の夫々にケーブルの各ペア電線のワイヤが接続される入力信号用、出力信号用ワイヤ接続パッドが形成され、内部に前記表面、裏面と平行に積層されるグランド層を有する中継配線基板とを有し、
前記中継配線基板は、表面または裏面のうち何れか一方に、前記入力信号用コンタクト接続パッド、前記入力信号用ワイヤ接続パッド、前記入力信号用コンタクト接続パッドと前記入力信号用ワイヤ接続パッドとの間を電気的に接続する入力信号用配線パターンが形成され、前記表面または前記裏面のうち何れか他方に、前記出力信号用コンタクト接続パッド、前記出力信号用ワイヤ接続パッド、前記出力信号用コンタクト接続パッドと前記出力信号用ワイヤ接続パッドとの間を電気的に接続する出力信号用配線パターンを形成される平衡伝送用コネクタであって、
前記入力信号用コンタクト対は、前記ブロック体の表側、裏側の夫々に形成された一対のコンタクト部と前記中継配線基板の表面、裏面のうち何れか一方に形成された前記入力信号用コンタクト接続パッドに接続される一対のリード部とを有し、
前記出力信号用コンタクト対は、前記ブロック体の表側、裏側の夫々に形成された一対のコンタクト部と前記中継配線基板の表面、裏面のうち何れか他方に形成された前記出力信号用コンタクト接続パッドに接続される一対のリード部とを有することを特徴とする平衡伝送用コネクタ。
【請求項２】
前記入力信号用コンタクト対は、
前記ブロック体の一側に配されるコンタクト部と前記ブロック体の一側に配されるリード部を有する第１のコンタクトと、
前記ブロック体の他側に配されるコンタクト部と前記ブロック体の一側に配されるリード部を有する第２のコンタクトと、からなり、
前記第１、第２のコンタクトは、夫々の全長が同一寸法に形成されることを特徴とする請求項１に記載の平衡伝送用コネクタ。
【請求項３】
前記出力信号用コンタクト対は、
前記ブロック体の他側に配されるコンタクト部と前記ブロック体の他側に配されるリード部を有する第３のコンタクトと、
前記ブロック体の一側に配されるコンタクト部と前記ブロック体の他側に配されるリード部を有する第４のコンタクトと、からなり、
前記第３、第４のコンタクトは、夫々の全長が同一寸法に形成されることを特徴とする請求項１に記載の平衡伝送用コネクタ。
【請求項４】
前記第１乃至前記第４のコンタクトは、夫々の全長が同一寸法に形成されることを特徴とする請求項２、３に記載の平衡伝送用コネクタ。
【請求項５】
前記出力信号用配線パターン及び前記入力信号用配線パターンは、前記中継配線基板の表面と裏面とで同一パターンに形成されることを特徴とする請求項１に記載の平衡伝送用コネクタ。
【請求項６】
前記入力信号用コンタクト対及び前記出力信号用コンタクト対は、前記第１のコンタクトと前記第３のコンタクトとが対称に形成され、前記第２のコンタクトと前記第４のコンタクトとが対称に形成されることを特徴とする請求項２、３に記載の平衡伝送用コネクタ。
【請求項７】
複数のペア電線を有する平衡伝送用ケーブルと、
前記平衡伝送用ケーブルの前記複数のペア電線の一端に接続される第１の平衡伝送用コネクタと、
前記平衡伝送用ケーブルの前記複数のペア電線の他端に接続される第２の平衡伝送用コネクタとを有する平衡伝送用ケーブルコネクタであって、
前記第１、第２の平衡伝送用コネクタは、
電気絶縁性のブロック体の表側、裏側の夫々に平衡伝送可能に対をなすコンタクト対が複数組み配され、且つ、この複数組みのコンタクト対が、信号を出力するための複数の出力信号用コンタクト対と信号を入力するための複数の入力信号用コンタクト対とに分けられて組み込まれるコンタクト組立体と、
一側の表面、裏面の夫々に前記出力信号用コンタクト対、前記入力信号用コンタクト対が接続される入力信号用、出力信号用コンタクト接続パッドが形成され、他側の表面、裏面の夫々に平衡伝送用ケーブルの各ペア電線のワイヤが接続される入力信号用、出力信号用ワイヤ接続パッドが形成され、内部に前記表面、裏面と平行に積層されるグランド層を有する中継配線基板とを有し、
前記中継配線基板は、表面または裏面のうち何れか一方に、前記入力信号用コンタクト接続パッド、前記入力信号用ワイヤ接続パッド、前記入力信号用コンタクト接続パッドと前記入力信号用ワイヤ接続パッドとの間を電気的に接続する入力信号用配線パターンが形成され、前記表面または前記裏面のうち何れか他方に、前記出力信号用コンタクト接続パッド、前記出力信号用ワイヤ接続パッド、前記出力信号用コンタクト接続パッドと前記出力信号用ワイヤ接続パッドとの間を電気的に接続する出力信号用配線パターンを形成される平衡伝送用コネクタであって、
前記入力信号用コンタクト対は、前記ブロック体の表側、裏側の夫々に形成された一対のコンタクト部と前記中継配線基板の表面、裏面のうち何れか一方に形成された前記入力信号用コンタクト接続パッドに接続される一対のリード部とを有し、
前記出力信号用コンタクト対は、前記ブロック体の表側、裏側の夫々に形成された一対のコンタクト部と前記中継配線基板の表面、裏面のうち何れか他方に形成された前記出力信号用コンタクト接続パッドに接続される一対のリード部とを有することを特徴とする平衡伝送用ケーブルコネクタ。
【発明の詳細な説明】
【技術分野】
【０００１】
本発明は平衡伝送用コネクタ及び平衡伝送用ケーブルコネクタに係り、特に平衡伝送経路における入力信号（受信信号）と出力信号（送信信号）との間で生じるクロストークを防止するよう構成された平衡伝送用コネクタ及び平衡伝送用ケーブルコネクタに関する。
【背景技術】
【０００２】
データの伝送の方式としては、データ毎に一本の電線を使用する通常の伝送方式と、データ毎に対をなす二本の電線を使用して、伝送すべき＋信号とこの＋信号とは大きさが等しく逆向きの−信号とを同時に伝送する平衡伝送方式がある。この平衡伝送方式は、通常の伝送方式に比べてノイズの影響を受けにくいという利点を有しており、信号を高速で伝送する分野において多く採用されつつある。
【０００３】
また、上記平衡伝送方式に用いられる平衡伝送用ケーブルコネクタにおいては、４対の出力用ペア電線と４対の入力用ペア電線とを有するケーブルと、ケーブルの両端に接続される一対の平衡伝送用コネクタとから構成されている（例えば、特許文献１参照）。
【０００４】
平衡伝送用コネクタは、出力信号用のコンタクト対の信号伝送路と入力信号用のコンタクト対の信号伝送路とが並列に形成されている。この出力信号用のコンタクト対の信号伝送路と入力信号用のコンタクト対の信号伝送路とについてみると、出力信号用のペア電線と入力信号用のペア電線とが隣接する領域では、中継配線基板に半田付けされているペア電線の信号ワイヤ間でクロストークが発生することある。
【０００５】
このようなクロストーク対策として、例えば、特許文献２にみられるように、中継基板の表面と表面の何れか一方に出力信号経路を形成し、他方に入力信号経路を形成することで入力信号の信号ワイヤと出力信号の信号ワイヤとの間のクロストークを防止することが提案されている。
【０００６】
以下、図面とともに従来の平衡伝送用ケーブルコネクタについて説明する。
【０００７】
図１は従来の平衡伝送用ケーブルコネクタ３００を斜め上側から見た斜視図である。図２は従来の平衡伝送用ケーブルコネクタ３００を斜め下側から見た斜視図である。図３は従来の平衡伝送用ケーブルコネクタ３００の側面図である。図４はケーブルの中継配線基板の端部への接続の状態を示す縦断面図である。
【０００８】
図１乃至図４に示されるように、従来の平衡伝送用ケーブルコネクタ３００は、中継配線基板２００及びペア電線１４１〜１４８を有する。また、平衡伝送用ケーブルコネクタ３００は、コンタクト組立体３１０と、中継配線基板２００と、平衡伝送用ケーブル１３０と、シールドカバー１５０とを有する。コンタクト組立体３１０は、電気絶縁性のブロック体３２０の接続部３２０ａに、対をなす出力信号用コンタクト３６０と入力信号用コンタクト３４０とが対をなして上下方向（Ｚ１−Ｚ２方向）に並んでおり、且つ、この対をなすコンタクト３６０，３４０と、板状のグランドコンタクト３５０とが左右方向（Ｘ１−Ｘ２方向）にピッチＰで交互に並んで組み込まれている構成である。
【０００９】
コンタクト組立体３１０は、ブロック体３２０の接続部３２０ａの表面、裏面に順に左右方向（Ｘ１−Ｘ２方向）に並設された８つのコンタクト対（１）〜（８）を有する。コンタクト対（１）〜（８）は、出力信号用コンタクト対（１）〜（４）と入力信号用コンタクト対（５）〜（８）との二つのグループに分けてある。
【００１０】
図５、図６及び図７は中継配線基板２００を示す。中継配線基板２００は、Ｙ２側のコンタクト接続パッドが、表面側のパッドとこの裏面側のパッドとが一つのコンタクト対に対応する構成である。これに対して、Ｙ１側のワイヤ接続パッド２２１〜２２８は、表面側の隣り合うパッドが一つのコンタクト対に対応し、且つ裏面の隣り合うパッドが一つのコンタクト対に対応し、且つ、表面側の４対のワイヤ接続パッド対（１）〜（４）が出力信号用コンタクト対（１）〜（４）に対応し、裏面側の４対のワイヤ接続パッド対（５）〜（８）が入力信号用コンタクト対（５）〜（８）に対応する構成である。配線パターンは、表面側と裏面側とで対をなす関係を、表面側だけ或いは裏面側だけで対をなす関係に変換できるように形成してあり、ビアを有している。
【００１１】
中継配線基板２００は、略正方形の多層基板であり、図７に示すように、内層に二つのグランド層２０１、２０２を有する。図５に示すように、中継配線基板２００のＺ１側の表面２００ａには、Ｙ２側の辺に沿って出力信号用コンタクト接続パッド２１１〜２１８が並んで、且つ、Ｙ１側の辺に沿って出力信号用ワイヤ接続パッド２２１〜２２８が並んで形成してある。図６に示すように、中継配線基板２００のＺ１側の裏面２００ｂには、Ｙ２側の辺に沿って入力信号用コンタクト接続パッド２３１〜２３８が並んで、且つ、Ｙ１側の辺に沿って入力信号用ワイヤ接続パッド２４１〜２４８が並んで形成してある。
【００１２】
平衡伝送用ケーブル１３０は、８本のペア電線１４１〜１４８を同軸的に有し、上側（Ｚ１側）のＸ１−Ｘ２方向に４本、下側（Ｚ２側）のＸ１−Ｘ２方向に４本並んでいる。各ペア電線１４１〜１４８は、第１、第２の信号ワイヤ１３３−１、１３３−２がＸ１−Ｘ２方向に並ぶ向きにある。上側の第１の信号ワイヤ１３３−１は、出力信号用信号ワイヤであり、下側の第２の信号ワイヤ１３３−２は、入力信号用信号ワイヤである。
【００１３】
〔各コンタクト対に対応する中継配線基板２００における各接続系統について〕
ワイヤ接続パッド対（１）〜（４）は中継配線基板２００の表面２００ａに並んでおり、ワイヤ接続パッド対（５）〜（８）は中継配線基板２００の裏面２００ｂに並んでいる。ワイヤ接続パッド対（１）〜（４）の並びの方向は、Ｘ２からＸ１の方向であり、出力信号用のコンタクト対（１）〜（４）の並びの方向と同じである。ワイヤ接続パッド対（５）〜（８）の並びの方向は、Ｘ１からＸ２の方向であり、出力信号用のコンタクト対（５）〜（８）の並びの方向及びワイヤ接続パッド対（１）〜（４）の並びの方向とは逆である。
【００１４】
また、中継配線基板２００の表面２００ａ及び裏面２００ｂには、グランドパターン３３０、３３１が、パッド及び配線パターンを囲み、且つ隣り合うパッドの間の隙間及び隣り合う配線パターンの間の隙間を埋めるように形成してある。
【００１５】
また、上記の配線パターン２５０，２５１，２５３等は、コンタクト接続パッド２１１等側からワイヤ接続パッド２２１等側に向かって扇状に拡がって且つ同じ面上では交差せずに形成してある。また、上記の配線パターン２５０，２５１，２５３等は、中継配線基板２００の表面２００ａ或いは裏面２００ｂを延在する第１の配線パターンと、ビア２５２等を介して上記中継配線基板の表面２００ａと裏面２００ｂとにまたがって延在する第２の配線パターンとよりなる。
【００１６】
ワイヤ接続パッド２２１、２２２がワイヤ接続パッド対（１）、ワイヤ接続パッド２２３、２２４がワイヤ接続パッド対（２）、ワイヤ接続パッド２２５、２２６がワイヤ接続パッド対（３）、ワイヤ接続パッド２２７、２２８がワイヤ接続パッド対（４）を構成する。
【００１７】
また、ワイヤ接続パッド２４１、２４２がワイヤ接続パッド対（５）、ワイヤ接続パッド２４３、２４４がワイヤ接続パッド対（６）、ワイヤ接続パッド２４５、２４６がワイヤ接続パッド対（７）、ワイヤ接続パッド２４７、２４８がワイヤ接続パッド対（８）を構成する。
【００１８】
〔コンタクト接続パッドと各コンタクト対（１）〜（８）の接続〕
図１乃至図４を参照するに、コンタクト組立体３１０のＹ１側に中継配線基板２００のＹ２側端が嵌合されて、表面２００ａに形成されたコンタクト接続パッド２１１〜２１８が出力信号用コンタクトの第１のリード部と半田付けされ、裏面２００ｂに形成されたコンタクト接続パッド２３１〜２３８が入力信号用コンタクトの第２のリード部と半田付けされ、グランドパターン２８０、２８１の一部がグランドコンタクト３５のフォーク部３５ｂと半田付けされて固定してある。
【００１９】
〔各ワイヤ接続パッドとコンタクト対との対応について〕
この状態で、ワイヤ接続パッド２２１，２２２が出力信号用コンタクト対（１）に、ワイヤ接続パッド２２３，２２４が出力信号用コンタクト対（２）に、ワイヤ接続パッド２２５、２２６が出力信号用コンタクト対（３）に、ワイヤ接続パッド２２７，２２８が出力信号用コンタクト対（４）に、ワイヤ接続パッド２４１，２４２が入力信号用コンタクト対（５）に、ワイヤ接続パッド２４３、２４４が入力信号用コンタクト対（６）に、ワイヤ接続パッド２４５，２４６が入力信号用コンタクト対（７）に、ワイヤ接続パッド２４７、２４８が入力信号用コンタクト対（８）に対応する。
【００２０】
〔平衡伝送用ケーブル１３０と中継配線基板２００との接続について〕
図１に示されるように、平衡伝送用ケーブル１３０の端のペア電線１４１〜１４８のうち４本のペア電線１４１〜１４４が中継配線基板２００のＹ１側の端の上面側（表面２００ａ）にＸ１−Ｘ２方向に整線されて、ペア電線１４１については第１、第２の信号ワイヤ１３３−１、１３３−２が夫々ワイヤ接続パッド２２１，２２２に半田２９０，２９１によって半田付けされる。また、ペア電線１４２については第１、第２の信号ワイヤ１３３−１、１３３−２が夫々ワイヤ接続パッド２２３，２２４に半田付けされる。また、ペア電線１４３については第１、第２の信号ワイヤ１３３−１、１３３−２が夫々ワイヤ接続パッド２２５，２２６に半田２９０，２９１によって半田付けされる。また、ペア電線１４４については第１、第２の信号ワイヤ１３３−１、１３３−２が夫々ワイヤ接続パッド２２７，２２８に半田２９０，２９１によって半田付けされる。
【００２１】
図２に示されるように、残りの４本のペア電線１４５〜１４８は、中継配線基板２００のＹ１側の端の下面側（裏面２００ｂ）にＸ１−Ｘ２方向に整線されて、ペア電線１４５については第１、第２の信号ワイヤ１３３−１、１３３−２が夫々ワイヤ接続パッド２４１，２４２に半田２９０，２９１によって半田付けされる。また、ペア電線１４６については第１、第２の信号ワイヤが夫々ワイヤ接続パッド２４３，２４４に半田２９０，２９１によって半田付けされる。また、ペア電線１４７については第１、第２の信号ワイヤが夫々ワイヤ接続パッド２４５，２４６に半田付けされる。また、ペア電線１４８については第１、第２の信号ワイヤが夫々ワイヤ接続パッド２４７，２４８に半田２９０，２９１によって半田付けされる。
【００２２】
〔コンタクト対と中継配線基板２００との接続について〕
コンタクト組立体３１０の出力信号用コンタクト対（１）は、コンタクト接続パッド２１１、２３１、配線パターン２５０、配線パターン２５１、ビア２５２、配線パターン２５３、ワイヤ接続パッド２２１、２２２を介してペア電線１４１と電気的に接続される。
【００２３】
コンタクト組立体３１０の出力信号用コンタクト対（２）は、コンタクト接続パッド２１２、２３２、配線パターン２６０、配線パターン２６１、ビア２６２、配線パターン２６３、ワイヤ接続パッド２２３、２２４を介してペア電線１４２と電気的に接続される。
【００２４】
コンタクト組立体３１０の出力信号用コンタクト対（３）は、コンタクト接続パッド２１３、２３３、配線パターン２７０、配線パターン２７１、ビア２７２、配線パターン２７３、ワイヤ接続パッド２２５、２２６を介してペア電線１４３と電気的に接続される。
【００２５】
コンタクト組立体３１０の出力信号用コンタクト対（４）は、コンタクト接続パッド２１４、２３４、配線パターン２８０、配線パターン２８１、ビア２８２、配線パターン２８３、ワイヤ接続パッド２２７，２２８を介してペア電線１４４と電気的に接続される。
【００２６】
コンタクト組立体３１の入力信号用コンタクト対（５）は、コンタクト接続パッド２１５、２３５、配線パターン２９０、ビア２９１、配線パターン２９２、配線パターン２９３、ワイヤ接続パッド２４１、２４２を介してペア電線１４５と電気的に接続される。
【００２７】
コンタクト組立体３１の入力信号用コンタクト対（６）は、コンタクト接続パッド２１６、２１７、配線パターン３００、ビア３０１、配線パターン３０２、配線パターン３０３、ワイヤ接続パッド２４３、２４４を介してペア電線１４６と電気的に接続されている。
【００２８】
コンタクト組立体３１の入力信号用コンタクト対（７）は、コンタクト接続パッド２１７、２３７、配線パターン３１０、ビア３１１、配線パターン３１２、配線パターン３１３、ワイヤ接続パッド２４５、２４６を介してペア電線１４７と電気的に接続されている。
【００２９】
コンタクト組立体３１の入力信号用コンタクト対（８）は、コンタクト接続パッド２１８、２３８、配線パターン３２０、ビア３２１、配線パターン３２２、配線パターン３２３、ワイヤ接続パッド２４７、２４８を介してペア電線１４８と電気的に接続されている。
【００３０】
即ち、ペア電線１４１〜１４４が夫々出力信号用コンタクト対（１）〜（４）に対応し、ペア電線１４５〜１４８が夫々入力信号用コンタクト対（５）〜（８）に対応している。
【００３１】
図７に示されるように、出力信号用のペア電線１４１〜１４４の各第１、第２の信号ワイヤ１３３−１、１３３−２と、入力信号用のペア電線１４５〜１４８の各第１、第２の信号ワイヤ１３３−１、１３３−２との間は、内層である二つのグランド層２０１、２０２によってシールドされているため、出力信号と入力信号との間でクロストークが発生することが防止される。
【特許文献１】特開２００３−０５９５９３号公報
【特許文献２】特開２００６−７３２６９号公報
【発明の開示】
【発明が解決しようとする課題】
【００３２】
上記従来の平衡伝送用コネクタでは、中継配線基板２００の表面２００ａと裏面２００ｂとを貫通するビア２５２，２６２，２７２，２８２，２９１，３０１，３１１，３２１が表面２００ａの配線パターンと裏面２００ｂの配線パターンとを接続する構成であるので、ビア間をシールドするグランド層が存在しないことから、出力信号用のビアと入力信号用のビアとの間でクロストークが発生するおそれがあった。
【００３３】
そこで、本発明は上記事情に鑑み、上記課題を解決した平衡伝送用コネクタ及び平衡伝送用ケーブルコネクタを提供することを目的とする。
【課題を解決するための手段】
【００３４】
上記課題を解決するため、本発明は以下のような手段を有する。
【００３５】
（１）本発明は、電気絶縁性のブロック体の表側、裏側の夫々に平衡伝送可能に対をなすコンタクト対が複数組み配され、且つ、この複数組みのコンタクト対が、信号を出力するための複数の出力信号用コンタクト対と信号を入力するための複数の入力信号用コンタクト対とに分けられて組み込まれるコンタクト組立体と、
一側の表面、裏面の夫々に前記出力信号用コンタクト対、前記入力信号用コンタクト対が接続される入力信号用、出力信号用コンタクト接続パッドが形成され、他側の表面、裏面の夫々にケーブルの各ペア電線のワイヤが接続される入力信号用、出力信号用ワイヤ接続パッドが形成され、内部に前記表面、裏面と平行に積層されるグランド層を有する中継配線基板とを有し、
前記中継配線基板は、表面または裏面のうち何れか一方に、前記入力信号用コンタクト接続パッド、前記入力信号用ワイヤ接続パッド、前記入力信号用コンタクト接続パッドと前記入力信号用ワイヤ接続パッドとの間を電気的に接続する入力信号用配線パターンが形成され、前記表面または前記裏面のうち何れか他方に、前記出力信号用コンタクト接続パッド、前記出力信号用ワイヤ接続パッド、前記出力信号用コンタクト接続パッドと前記出力信号用ワイヤ接続パッドとの間を電気的に接続する出力信号用配線パターンを形成される平衡伝送用コネクタであって、
前記入力信号用コンタクト対は、前記ブロック体の表側、裏側の夫々に形成された一対のコンタクト部と前記中継配線基板の表面、裏面のうち何れか一方に形成された前記入力信号用コンタクト接続パッドに接続される一対のリード部とを有し、
前記出力信号用コンタクト対は、前記ブロック体の表側、裏側の夫々に形成された一対のコンタクト部と前記中継配線基板の表面、裏面のうち何れか他方に形成された前記出力信号用コンタクト接続パッドに接続される一対のリード部とを有することにより、上記課題を解決するものである。
【００３６】
（２）本発明は、前記入力信号用コンタクト対が、
前記ブロック体の一側に配されるコンタクト部と前記ブロック体の一側に配されるリード部とを有する第１のコンタクトと、
前記ブロック体の他側に配されるコンタクト部と前記ブロック体の一側に配されるリード部とを有する第２のコンタクトと、からなり、
前記第１、第２のコンタクトは、夫々の全長が同一寸法に形成されることにより、上記課題を解決するものである。
【００３７】
（３）本発明は、前記出力信号用コンタクト対が、
前記ブロック体の他側に配されるコンタクト部と前記ブロック体の他側に配されるリード部とを有する第３のコンタクトと、
前記ブロック体の一側に配されるコンタクト部と前記ブロック体の他側に配されるリード部とを有する第４のコンタクトと、からなり、
前記第３、第４のコンタクトは、夫々の全長が同一寸法に形成されることにより、上記課題を解決するものである。
【００３８】
（４）本発明は、前記第１乃至前記第４のコンタクトは、夫々の全長が同一寸法に形成されることにより、上記課題を解決するものである。
【００３９】
（５）本発明は、前記出力信号用配線パターン及び前記入力信号用配線パターンは、前記中継配線基板の表面と裏面とで同一パターンに形成されることにより、上記課題を解決するものである。
【００４０】
（６）本発明は、前記入力信号用コンタクト対及び前記出力信号用コンタクト対は、前記第１のコンタクトと前記第３のコンタクトとが対称に形成され、前記第２のコンタクトと前記第４のコンタクトとが対称に形成されることにより、上記課題を解決するものである。
【００４１】
（７）本発明は、複数のペア電線を有する平衡伝送用ケーブルと、
前記平衡伝送用ケーブルの前記複数のペア電線の一端に接続される第１の平衡伝送用コネクタと、
前記平衡伝送用ケーブルの前記複数のペア電線の他端に接続される第２の平衡伝送用コネクタとを有する平衡伝送用ケーブルコネクタであって、
前記第１、第２の平衡伝送用コネクタは、
電気絶縁性のブロック体の表側、裏側の夫々に平衡伝送可能に対をなすコンタクト対が複数組み配され、且つ、この複数組みのコンタクト対が、信号を出力するための複数の出力信号用コンタクト対と信号を入力するための複数の入力信号用コンタクト対とに分けられて組み込まれるコンタクト組立体と、
一側の表面、裏面の夫々に前記出力信号用コンタクト対、前記入力信号用コンタクト対が接続される入力信号用、出力信号用コンタクト接続パッドが形成され、他側の表面、裏面の夫々に平衡伝送用ケーブルの各ペア電線のワイヤが接続される入力信号用、出力信号用ワイヤ接続パッドが形成され、内部に前記表面、裏面と平行に積層されるグランド層を有する中継配線基板とを有し、
前記中継配線基板は、表面または裏面のうち何れか一方に、前記入力信号用コンタクト接続パッド、前記入力信号用ワイヤ接続パッド、前記入力信号用コンタクト接続パッドと前記入力信号用ワイヤ接続パッドとの間を電気的に接続する入力信号用配線パターンが形成され、前記表面または前記裏面のうち何れか他方に、前記出力信号用コンタクト接続パッド、前記出力信号用ワイヤ接続パッド、前記出力信号用コンタクト接続パッドと前記出力信号用ワイヤ接続パッドとの間を電気的に接続する出力信号用配線パターンを形成される平衡伝送用コネクタであって、
前記入力信号用コンタクト対は、前記ブロック体の表側、裏側の夫々に形成された一対のコンタクト部と前記中継配線基板の表面、裏面のうち何れか一方に形成された前記入力信号用コンタクト接続パッドに接続される一対のリード部とを有し、
前記出力信号用コンタクト対は、前記ブロック体の表側、裏側の夫々に形成された一対のコンタクト部と前記中継配線基板の表面、裏面のうち何れか他方に形成された前記出力信号用コンタクト接続パッドに接続される一対のリード部とを有することにより、上記課題を解決するものである。
【発明の効果】
【００４２】
本発明によれば、入力信号用コンタクト対の各リード部が中継配線基板の表面、裏面のうち何れか一方に形成された入力信号用コンタクト接続パッドに接続され、出力信号用コンタクト対の各リード部が中継配線基板の表面、裏面のうち何れか他方に形成された出力信号用コンタクト接続パッドに接続されるため、入力信号用コンタクト対の各リード部と出力信号用コンタクト対の各リード部との間及び入力信号用コンタクト接続パッドと出力信号用コンタクト接続パッドとの間が中継配線基板のグランド層によってシールドされてクロストークを確実に防止することが可能になる。
【発明を実施するための最良の形態】
【００４３】
以下、図面を参照して本発明を実施するための最良の形態について説明する。
【実施例１】
【００４４】
図８は本発明による平衡伝送用コネクタの一実施例を上方からみた斜視図である。図９は本発明による平衡伝送用コネクタの一実施例を下方からみた斜視図である。尚、図８及び図９においては、シールドカバーを外した状態を示している。また、本発明においても、平衡伝送用ケーブルの構成は、前述した図４に示す平衡伝送用ケーブル１３０と同じものであるので、同一符号を付してその説明は省略する。
【００４５】
図８及び図９に示されるように、平衡伝送用コネクタ１０は、コンタクト組立体２０と、中継配線基板３０とを有する。
【００４６】
コンタクト組立体２０は、前述したコンタクト組立体３１０と同様に、電気絶縁性のブロック体２２に、対をなす出力信号用コンタクト部材７０と入力信号用コンタクト部材８０とが対をなして上下方向（Ｚ１−Ｚ２方向）に並んでおり、且つ、この対をなすコンタクト部材７０，８０と、板状のグランドコンタクト２８とが左右方向（Ｘ１−Ｘ２方向）にピッチＰで交互に並んで組み込まれている構成である。
【００４７】
コンタクト組立体２０は、ブロック体２２の接続部２２ａの表面、裏面に順に左右方向（Ｘ１−Ｘ２方向）に並設された８つのコンタクト対（１）〜（８）を有する。コンタクト対（１）〜（８）は、出力信号用コンタクト対（１）〜（４）と入力信号用コンタクト対（５）〜（８）との二つのグループに分けてある。
【００４８】
中継配線基板３０は、表面３０ａに入力信号（受信信号）を伝送するための入力信号伝送経路３２が形成され、裏面３０ｂには出力信号（送信信号）を伝送するための出力信号伝送経路３４が形成されている。この入力信号伝送経路３２及び出力信号伝送経路３４には、表面３０ａの配線パターンと裏面３０ｂの配線パターンとを接続するためのビアが設けられていない。そのため、平衡伝送用コネクタ１０は、ビア自体が存在しないため、ビアによる入力信号と出力信号との間のクロストークが発生しないように構成されている。
【００４９】
図１０は本発明による平衡伝送用コネクタの一実施例を上方からみた平面図である。図１１は本発明による平衡伝送用コネクタの一実施例を下方からみた底面図である。図１０及び図１１に示されるように、中継配線基板３０の表面３０ａに形成された入力信号伝送経路３２と中継配線基板３０の裏面３０ｂに形成された出力信号伝送経路３４とは、夫々同じパターンとなるように形成されており、且つ各配線パターンが交差しないように配されている。
【００５０】
〔中継配線基板３０の表面３０ａ、裏面３０ｂに形成される入力信号伝送経路３２、出力信号伝送経路３４の構成について〕
図８及び図１０に示されるように、入力信号伝送経路３２は、中継配線基板３０の表面３０ａのコンタクト側（Ｙ２方向側）に形成され入力信号用コンタクト接続パッド４１ａ〜４８ａと、中継配線基板３０の表面３０ａのケーブル側（Ｙ１方向側）に形成され入力信号用ワイヤ接続パッド５１ａ〜５８ａと、入力信号用コンタクト接続パッド４１ａ〜４８ａと入力信号用ワイヤ接続パッド５１ａ〜５８ａとの間を電気的に接続する入力信号用配線パターン６１ａ〜６８ａとから構成されている。
【００５１】
入力信号用コンタクト接続パッド４１ａ〜４８ａは、隣り合う一対ずつが入力信号用コンタクト対（５）〜（８）に対応している。そして、中継配線基板３０の表面３０ａのコンタクト側（Ｙ２方向側）には、入力信号用コンタクト接続パッド４１ａ〜４８ａの一対ずつの間隔で９本のグランドパターン４９によって仕切られている。
【００５２】
また、入力信号用コンタクト接続パッド４１ａ〜４８ａは、Ｙ１，Ｙ２方向に延在形成され、且つＸ１，Ｘ２方向に並列に設けられている。すなわち、入力信号用コンタクト接続パッド４１ａ〜４８ａは、各接続パッド４１ａ，４２ａと、４３ａ，４４ａと、４５ａ，４６ａと、４７ａ，４８ａとが一対ずつグランドパターン４９によって仕切られている。
【００５３】
入力信号用ワイヤ接続パッド５１ａ〜５８ａは、平衡伝送用ケーブル１３０の入力信号用のペア電線１４５〜１４８（図４参照）に対応している。そして、中継配線基板３０の表面３０ａのケーブル側（Ｙ１方向側）には、入力信号用ワイヤ接続パッド５１ａ〜５８ａの一対ずつの間隔で９本のグランドパターン５０によって仕切られている。
【００５４】
入力信号用配線パターン６１ａ〜６８ａは、各配線パターン６１ａ，６２ａと、６３ａ，６４ａと、６５ａ，６６ａと、６７ａ，６８ａとが一対ずつグランドパターン５９によって仕切られている。尚、表面３０ａにおいて、グランドパターン５９の上面は、絶縁層によってコーティングされており、グランドパターン４９，５０は絶縁層から露出されている。
尚、入力信号用コンタクト接続パッド４１ａ〜４８ａは中継配線基板３０のＸ１，Ｘ２方向の幅寸法のほぼ半分の領域に密集して並設されているのに対して、入力信号用ワイヤ接続パッド５１ａ〜５８ａは中継配線基板３０のＸ１，Ｘ２方向の幅寸法の全幅に並設されている。そのため、入力信号用コンタクト接続パッド４１ａ〜４８ａと入力信号用ワイヤ接続パッド５１ａ〜５８ａとの対応関係は、Ｘ１，Ｘ２方向にずれている。
【００５５】
よって、入力信号用配線パターン６１ａ〜６８ａは、一対ずつ平行に形成されており、各組み毎に長さ寸法が異なる。例えば、配線パターン６１ａ，６２ａの全長をＬ１ａ、配線パターン６３ａ，６４ａの全長をＬ２ａ、配線パターン６５ａ，６６ａの全長をＬ３ａ、配線パターン６７ａ，６８ａの全長をＬ４ａとすると、Ｘ１，Ｘ２方向のずれ量が大きいほど斜め方向に長くなり、Ｌ１ａ＞Ｌ２ａ＞Ｌ３ａ＞Ｌ４ａの関係となる。
【００５６】
また、入力信号用配線パターン６１ａ〜６８ａは、各対ごとの全長がＬ１ａ＋Ｌ４ａ＝Ｌ２ａ＋Ｌ３ａの関係を維持するように形成されている。
【００５７】
図９及び図１１に示されるように、出力信号伝送経路３４は、上記入力信号伝送経路３２と同じパターンであるが、Ｘ１，Ｘ２方向に逆向きに形成されており、中継配線基板３０の裏面３０ｂのコンタクト側（Ｙ２方向側）に形成され出力信号用コンタクト接続パッド４１ｂ〜４８ｂと、中継配線基板３０の裏面３０ｂのケーブル側（Ｙ１方向側）に形成され出力信号用ワイヤ接続パッド５１ｂ〜５８ｂと、出力信号用コンタクト接続パッド４１ｂ〜４８ｂと出力信号用ワイヤ接続パッド５１ｂ〜５８ｂとの間を電気的に接続する出力信号用配線パターン６１ｂ〜６８ｂとから構成されている。
【００５８】
出力信号用コンタクト接続パッド４１ｂ〜４８ｂは、隣り合う一対ずつが出力信号用コンタクト対（１）〜（４）に対応している。そして、中継配線基板３０の裏面３０ｂのコンタクト側（Ｙ２方向側）には、出力信号用コンタクト接続パッド４１ｂ〜４８ｂの一対ずつの間隔で９本のグランドパターン４９によって仕切られている。
【００５９】
また、出力信号用コンタクト接続パッド４１ｂ〜４８ｂは、Ｙ１，Ｙ２方向に延在形成され、且つＸ１，Ｘ２方向に並列に設けられている。すなわち、出力信号用コンタクト接続パッド４１ｂ〜４８ｂは、各接続パッド４１ｂ，４２ｂと、４３ｂ，４４ｂと、４５ｂ，４６ｂと、４７ｂ，４８ｂとが一対ずつグランドパターン４９によって仕切られている。
【００６０】
出力信号用ワイヤ接続パッド５１ｂ〜５８ｂは、平衡伝送用ケーブル１３０の出力信号用のペア電線１４１〜１４４（図４参照）に対応している。そして、中継配線基板３０の裏面３０ｂのケーブル側（Ｙ１方向側）には、出力信号用ワイヤ接続パッド５１ｂ〜５８ｂの一対ずつの間隔で９本のグランドパターン５０によって仕切られている。
【００６１】
出力信号用配線パターン６１ｂ〜６８ｂは、各配線パターン６１ｂ，６２ｂと、６３ｂ，６４ｂと、６５ｂ，６６ｂと、６７ｂ，６８ｂとが一対ずつグランドパターン５９によって仕切られている。尚、裏面３０ｂにおいて、グランドパターン５９の下面は、絶縁層によってコーティングされており、グランドパターン４９，５０は絶縁層から露出されている。
尚、出力信号用コンタクト接続パッド４１ｂ〜４８ｂは中継配線基板３０のＸ１，Ｘ２方向の幅寸法のほぼ半分の領域に密集して並設されているのに対して、出力信号用ワイヤ接続パッド５１ｂ〜５８ｂは中継配線基板３０のＸ１，Ｘ２方向の幅寸法の全幅に並設されている。そのため、出力信号用コンタクト接続パッド４１ｂ〜４８ｂと出力信号用ワイヤ接続パッド５１ｂ〜５８ｂとの対応関係は、Ｘ１，Ｘ２方向にずれている。
【００６２】
よって、出力信号用配線パターン６１ｂ〜６８ｂは、一対ずつ平行に形成されており、各組み毎に長さ寸法が異なる。例えば、配線パターン６１ｂ，６２ｂの全長をＬ４ｂ、配線パターン６３ｂ，６４ｂの全長をＬ３ｂ、配線パターン６５ｂ，６６ｂの全長をＬ２ｂ、配線パターン６７ｂ，６８ｂの全長をＬ１ｂとすると、Ｘ１，Ｘ２方向のずれ量が大きいほど斜め方向に長くなり、Ｌ１ｂ＞Ｌ２ｂ＞Ｌ３ｂ＞Ｌ４ｂの関係となる。
【００６３】
また、出力信号用配線パターン６１ｂ〜６８ｂは、各対ごとの全長がＬ１ｂ＋Ｌ４ｂ＝Ｌ２ｂ＋Ｌ３ｂの関係を維持するように形成されている。
【００６４】
〔本発明の要部を構成する出力信号用コンタクト対（１）〜（４）及び入力信号用コンタクト対（５）〜（８）の構成について〕
図１２Ａは入力信号用コンタクト対（５）〜（８）の構成を示す縦断面図である。図１２Ｂは出力信号用コンタクト対（１）〜（４）の構成を示す縦断面図である。
【００６５】
図１２Ａに示されるように、入力信号用コンタクト対（５）〜（８）は、接続部２２ａの表面側（上面側）に配された第１のコンタクト部材７０Ａと、接続部２２ａの裏面側（下面側）に配された第２のコンタクト部材８０Ａとよりなる。第１のコンタクト部材７０Ａ及び第２のコンタクト部材８０Ａのリード部７２Ａ，８２Ａは、共に中継配線基板３０の表面３０ａ側に配された入力信号用コンタクト接続パッド４１ａ〜４８ａにはんだ付けにより接続される。
【００６６】
図１２Ｂに示されるように、出力信号用コンタクト対（１）〜（４）は、接続部２２ａの表面側（上面側）に配された第３のコンタクト部材７０Ｂと、接続部２２ａの裏面側（下面側）に配された第４のコンタクト部材８０Ｂとよりなる。第３のコンタクト部材７０Ｂ及び第４のコンタクト部材８０Ｂのリード部７２Ｂ，８２Ｂは、共に中継配線基板３０の裏面３０ｂ側に配された出力信号用コンタクト接続パッド４１ｂ〜４８ｂにはんだ付けにより接続される。
【００６７】
図１３は中継配線基板３０の縦断面図である。図１３に示されるように、中継配線基板３０は、表面３０ａと裏面３０ｂとの間にグランド層３１，３２が上下方向（Ｚ１，Ｚ２方向）に所定間隔毎に積層されている。グランド層３１，３２は、表面３０ａ及び裏面３０ｂと平行に配されており、且つ上下方向（Ｚ１，Ｚ２方向）に貫通するビアが存在しない状態で積層されている。そのため、中継配線基板３０は、表面３０ａと裏面３０ｂとの間がグランド層３１，３２によってシールドされている。よって、中継配線基板３０の表面３０ａに配された入力信号用コンタクト接続パッド４１ａ〜４８ａと、中継配線基板３０の裏面３０ｂに配された出力信号用コンタクト接続パッド４１ｂ〜４８ｂとの間におけるクロストークの発生が確実に防止される。
【００６８】
しかも、入力信号用コンタクト接続パッド４１ａ〜４８ａは、表面３０ａのＸ１側半分の領域に寄せられ、且つ出力信号用コンタクト接続パッド４１ｂ〜４８ｂは、裏面３０ｂのＸ２側半分の領域に寄せられている。そのため、入力信号用コンタクト接続パッド４１ａ〜４８ａと出力信号用コンタクト接続パッド４１ｂ〜４８ｂとが上下方向で重ならないように配置されており、入力信号の伝送経路と出力信号の伝送経路とが近接しないように構成されている。
【００６９】
〔第１のコンタクト部材７０Ａ及び第２のコンタクト部材８０Ａの構成について〕
図１４Ａは第１のコンタクト部材７０Ａを示す斜視図である。図１４Ｂは第１のコンタクト部材７０Ａを示す側面図である。図１４Ｃは第１のコンタクト部材７０Ａを示す平面図である。
【００７０】
図１４Ａ〜図１４Ｃに示されるように、第１のコンタクト部材７０Ａは、入力信号用コンタクト接続パッド４１ａ，４３ａ，４５ａ，４７ａに接触しはんだ付けされるリード部７２Ａと、コンタクト組立体２０の接続部２２ａの溝に挿入されるコンタクト部７４Ａとを有する。リード部７２Ａは、コンタクト部７４Ａに対してＸ２方向にオフセットされている。このオフセット量は、入力信号用コンタクト接続パッド４１ａ，４３ａ，４５ａ，４７ａとの相対位置によって決まる。
【００７１】
さらに、第１のコンタクト部材７０Ａは、リード部７２Ａとコンタクト部７４Ａとの間を連結する第１の曲げ部７６Ａと、第２の曲げ部７８Ａとを有する。
【００７２】
第１の曲げ部７６Ａは、コンタクト部７４ＡよりＺ１方向に曲げられており、且つＶ字状にＺ２方向に曲げられている。第２の曲げ部７８Ａは、第１の曲げ部７６Ａと逆方向に曲げられており、且つ第１の曲げ部７６Ａよりも曲率半径が大きく、緩やか曲線によりＹ２方向に曲げられている。
【００７３】
図１５Ａは第２のコンタクト部材８０Ａを示す斜視図である。図１５Ｂは第２のコンタクト部材８０Ａを示す側面図である。図１５Ｃは第２のコンタクト部材８０Ａを示す平面図である。
【００７４】
図１５Ａ〜図１５Ｃに示されるように、第２のコンタクト部材８０Ａは、入力信号用コンタクト接続パッド４２ａ，４４ａ，４６ａ，４８ａに接触しはんだ付けされるリード部８２Ａと、コンタクト組立体２０の接続部２２ａの溝に挿入されるコンタクト部８４Ａとを有する。リード部８２Ａは、コンタクト部８４Ａに対してＸ１方向にオフセットされている。このオフセット量は、入力信号用コンタクト接続パッド４２ａ，４４ａ，４６ａ，４８ａとの相対位置によって決まる。
【００７５】
さらに、第２のコンタクト部材８０Ａは、リード部８２Ａとコンタクト部８４Ａとの間を連結する第１の曲げ部８６Ａと、第２の曲げ部８８Ａとを有する。
【００７６】
第１の曲げ部８６Ａは、ほぼ直角にＺ２方向に曲げられている。第２の曲げ部８８Ａは、第１の曲げ部８６Ａと逆方向に曲げられており、且つ第１の曲げ部７６Ａよりも曲率半径が大きく、ほぼ直角にＹ２方向に曲げられている。
【００７７】
図１６Ａは第１、第２のコンタクト部材７０Ａ，８０Ａを組み合わせた取付状態を示す斜視図である。図１６Ｂは第１、第２のコンタクト部材７０Ａ、８０Ａを組み合わせた取付状態を示す側面図である。図１６Ｃは第１、第２のコンタクト部材７０Ａ，８０Ａを組み合わせた取付状態を示す平面図である。
【００７８】
図１６Ａ〜図１６Ｃに示されるように、第１、第２のコンタクト部材７０Ａ、８０Ａのコンタクト部７４Ａ，８４Ａは、前述した接続部２２ａの厚さ分（Ｚ１，Ｚ２方向の距離）離間した間隔で接続部２２ａの表面側と裏面側に配されており、リード部８２Ａ，８４Ａは中継配線基板３０の表面３０ａに形成された入力信号用コンタクト接続パッド４１ａ〜４８ａに接触するようにＸ１，Ｘ２方向に並列に延在形成される。
【００７９】
また、コンタクト部７４Ａ，８４Ａは、Ｙ１，Ｙ２方向の延在長さが同じ寸法に形成されている。さらに、第１、第２のコンタクト部材７０Ａ，８０Ａでは、第１の曲げ部７６Ａ，８６Ａの途中まで上下対称に形成され、その先は第２の曲げ部７８Ａ，８８Ａ及びリード部７２Ａ，８２Ａが重なり合うような同一形状に形成されている。そのため、第１、第２のコンタクト部材７０Ａ，８０Ａの全長は、ほぼ同一寸法となるように形成されている。これにより、第１、第２のコンタクト部材７０Ａ，８０Ａのインピーダンスが同じ値になるように設定されている。
【００８０】
また、リード部７２Ａ，８２Ａは、夫々Ｘ２，Ｘ１方向にオフセットされているため、隙間Ｓを有するように平行に延在形成されている。この隙間Ｓは、前述した入力信号用コンタクト接続パッド４１ａ〜４８ａの間隔に対応する寸法になっている。
【００８１】
図１２Ａに示す第１、第２のコンタクト部材７０Ａ，８０Ａは、入力信号用コンタクト部材であり、図１２Ｂに示す第３、第４のコンタクト部材７０Ｂ，８０Ｂは、出力信号用コンタクト部材である。また、第３、第４のコンタクト部材７０Ｂ，８０Ｂは、上記第１、第２のコンタクト部材７０Ａ，８０Ａを上下方向（Ｚ１，Ｚ２方向）で反転させたものである。すなわち、第１、第３のコンタクト部材７０Ａ，７０Ｂが共通部品となり、第２、第４のコンタクト部材８０Ａ，８０Ｂが共通部品となる。
【００８２】
そのため、第１、第２のコンタクト部材７０Ａ，８０Ａと第３，第４のコンタクト部材７０Ｂ，８０Ｂとを別個に製作する必要がなく、部品の共通化を図れるので、その分コストダウンすることができる。
【００８３】
このように、各コンタクト部材７０Ａ，７０Ｂ，８０Ａ，８０Ｂは、コンタクト部７４Ａ，７４Ｂ，８４Ａ，８４Ｂが接続部２２ａのコンタクト対（１）〜（８）に対応して表面側と裏面側に配され、各リード部７２Ａ，７２Ｂ，８２Ａ，８２Ｂが中継配線基板３０の表面３０ａに形成された入力信号用コンタクト接続パッド４１ａ〜４８ａまたは裏面３０ｂに配される出力信号用コンタクト接続パッド４１ｂ〜４８ｂに対応して入力信号側と出力信号側とに分散配置される。そのため、中継配線基板３０において、入力信号用コンタクト対（５）〜（８）の各リード部７２Ａ，８２Ａと出力信号用コンタクト対（１）〜（４）の各リード部７２Ｂ，８２Ｂとの間及び入力信号用コンタクト接続パッド４１ａ〜４８ａと出力信号用コンタクト接続パッド４１ｂ〜４８ｂとの間は、中継配線基板３０のグランド層３１，３２によってシールドされてクロストークを確実に防止することが可能になる。
【００８４】
〔上記平衡伝送用コネクタ１０を用いた平衡伝送用ケーブルコネクタの構成について〕
図１７は本発明による平衡伝送用ケーブルコネクタを示す平面図である。図１７に示されるように、平衡伝送用ケーブルコネクタ１００は、ペア電線１４１〜１４８を有する平衡伝送用ケーブル１３０と、平衡伝送用ケーブル１３０のペア電線１４１〜１４８の一端に接続されるコネクタ対（１）〜（８）を有する第１の平衡伝送用コネクタ１０Ａと、平衡伝送用ケーブル１３０のペア電線１４１〜１４８の他端に接続されるコネクタ対（１）〜（８）を有する第２の平衡伝送用コネクタ１０Ｂとを有する。
【００８５】
第１、第２の平衡伝送用コネクタ１０Ａ，１０Ｂは、夫々前述した平衡伝送用コネクタ１０と同一構成であり、且つＹ１，Ｙ２方向で１８０度反転させた向きで平衡伝送用ケーブル１３０に接続される。
【００８６】
〔表面側に配された各コンタクト対（５）〜（８）の入力信号伝送経路の配線パターン組み合わせについて〕
第１の平衡伝送用コネクタ１０Ａの全長Ｌ１ａの配線パターン６１ａ，６２ａは、第２の平衡伝送用コネクタ１０Ｂの全長Ｌ４ｂの配線パターン６１ｂ，６２ｂと接続される。また、第１の平衡伝送用コネクタ１０Ａの全長Ｌ２ａの配線パターン６３ａ，６４ａは、第２の平衡伝送用コネクタ１０Ｂの全長Ｌ３ｂの配線パターン６３ｂ，６４ｂと接続される。また、第１の平衡伝送用コネクタ１０Ａの全長Ｌ３ａの配線パターン６５ａ，６６ａは、第２の平衡伝送用コネクタ１０Ｂの全長Ｌ２ｂの配線パターン６５ｂ，６６ｂと接続される。また、第１の平衡伝送用コネクタ１０Ａの全長Ｌ４ａの配線パターン６７ａ，６８ａは、第２の平衡伝送用コネクタ１０Ｂの全長Ｌ１ｂの配線パターン６７ｂ，６８ｂと接続される。
【００８７】
そのため、平衡伝送用ケーブルコネクタ１００において、各コンタクト対（５）〜（８）の入力信号伝送経路は、第１、第２の平衡伝送用コネクタ１０Ａ，１０Ｂの配線パターン６１ａ〜６８ａ、６１ｂ〜６８ｂの組み合わせが何れも同じ長さとなるように組み合わせられる。そのため、各コンタクト対（５）〜（８）の入力信号伝送経路におけるインピーダンスは、均等になる。
【００８８】
〔裏面側に配された各コンタクト対（１）〜（４）の出力信号伝送経路の配線パターン組み合わせについて〕
裏面側の出力信号伝送経路は、図１７に示されていないが、上記表面側の入力信号伝送経路と同様に、第１の平衡伝送用コネクタ１０Ａの全長Ｌ４ｂの配線パターン６１ｂ，６２ｂは、第２の平衡伝送用コネクタ１０Ｂの全長Ｌ１ａの配線パターン６１ａ，６２ａと接続される。また、第１の平衡伝送用コネクタ１０Ａの全長Ｌ３ｂの配線パターン６３ｂ，６４ｂは、第２の平衡伝送用コネクタ１０Ｂの全長Ｌ２ａの配線パターン６３ａ，６４ａと接続される。また、第１の平衡伝送用コネクタ１０Ａの全長Ｌ２ｂの配線パターン６５ｂ，６６ｂは、第２の平衡伝送用コネクタ１０Ｂの全長Ｌ３ａの配線パターン６５ａ，６６ａと接続される。また、第１の平衡伝送用コネクタ１０Ａの全長Ｌ１ｂの配線パターン６７ｂ，６８ｂは、第２の平衡伝送用コネクタ１０Ｂの全長Ｌ４ａの配線パターン６７ａ，６８ａと接続される。
【００８９】
そのため、平衡伝送用ケーブルコネクタ１００において、各コンタクト対（１）〜（４）の出力信号伝送経路は、第１、第２の平衡伝送用コネクタ１０Ａ，１０Ｂの配線パターン６１ｂ〜６８ｂの組み合わせが何れも同じ長さとなるように組み合わせられる。そのため、各コンタクト対（１）〜（４）の出力信号伝送経路におけるインピーダンスは、均等になる。
【００９０】
このように、入力信号用配線パターン６１ａ〜６８ａ、出力信号用配線パターン６１ｂ〜６８ｂの全長Ｌ１ａ〜Ｌ４ａ、Ｌ１ｂ〜Ｌ４ｂが異なる長さに形成されていても、平衡伝送用ケーブル１３０の両端に接続される第１、第２の平衡伝送用コネクタ１０Ａ，１０Ｂの各入力信号用配線パターン６１ａ〜６８ａ、出力信号用配線パターン６１ｂ〜６８ｂの組み合わせで各コンタクト対（１）〜（８）に対応する配線パターン合計長さがほぼ同一になるため、平衡伝送用ケーブルコネクタ１００によるインピーダンス特性のばらつきを防止することができる。
【００９１】
上記実施例では、中継配線基板３０の表面３０ａを入力信号側の伝送経路とし、中継配線基板３０の裏面３０ｂを出力信号側の伝送経路としたが、これとは逆に、中継配線基板３０の表面３０ａを出力信号側の伝送経路とし、中継配線基板３０の裏面３０ｂを入力信号側の伝送経路としても良いのは勿論である。
【００９２】
また、上記実施例では、入力信号側と出力信号側のコネクタ対を４組ずつ、合計８組とした場合を例に挙げて説明したが、これに限らず、コネクタ対の数は４組ずつ以上でも以下でも良いのは、勿論である。
【図面の簡単な説明】
【００９３】
【図１】従来の平衡伝送用ケーブルコネクタをシールドカバーを取り外した状態で示す斜視図である。
【図２】従来の平衡伝送用ケーブルコネクタを下方から見て示す斜視図である。
【図３】従来の平衡伝送用ケーブルコネクタの側面図である。
【図４】図３中Ａ−Ａ線に沿うペア電線が中継配線基板に接続固定されて並んでいる状態を示す断面図である。
【図５】従来の中継配線基板を上方からみて示す斜視図である。
【図６】従来の中継配線基板を下方からみて示す斜視図である。
【図７】図５中、Ｂ−Ｂ線に沿う中継配線基板の縦断面図である。
【図８】本発明による平衡伝送用コネクタの一実施例を斜め上方からみた斜視図である。
【図９】本発明による平衡伝送用コネクタの一実施例を斜め下方からみた斜視図である。
【図１０】本発明による平衡伝送用コネクタの一実施例を上方からみた平面図である。
【図１１】本発明による平衡伝送用コネクタの一実施例を下方からみた底面図である。
【図１２Ａ】入力信号用コンタクト対（５）〜（８）の構成を示す縦断面図である。
【図１２Ｂ】出力信号用コンタクト対（１）〜（４）の構成を示す縦断面図である。
【図１３】図１２Ｂ中Ｃ−Ｃ線に沿う中継配線基板３０の縦断面図である。
【図１４Ａ】第１のコンタクト部材７０Ａを示す斜視図である。
【図１４Ｂ】第１のコンタクト部材７０Ａを示す側面図である。
【図１４Ｃ】第１のコンタクト部材７０Ａを示す平面図である。
【図１５Ａ】第２のコンタクト部材８０Ａを示す斜視図である。
【図１５Ｂ】第２のコンタクト部材８０Ａを示す側面図である。
【図１５Ｃ】第２のコンタクト部材８０Ａを示す平面図である。
【図１６Ａ】第１、第２のコンタクト部材７０Ａ，８０Ａを組み合わせた取付状態を示す斜視図である。
【図１６Ｂ】第１、第２のコンタクト部材７０Ａ、８０Ａを組み合わせた取付状態を示す側面図である。
【図１６Ｃ】第１、第２のコンタクト部材７０Ａ，８０Ａを組み合わせた取付状態を示す平面図である。
【図１７】本発明による平衡伝送用ケーブルコネクタを示す平面図である。
【符号の説明】
【００９４】
１０  平衡伝送用コネクタ
１０Ａ  第１の平衡伝送用コネクタ
１０Ｂ  第２の平衡伝送用コネクタ
２０  コンタクト組立体
２２  ブロック体
２８  グランドコンタクト
３０  中継配線基板
３０ａ  表面
３０ｂ  裏面
３１，３２  グランド層
３２  入力信号伝送経路
３４  出力信号伝送経路
４１ａ〜４８ａ  入力信号用コンタクト接続パッド
４１ｂ〜４８ｂ  出力信号用コンタクト接続パッド
４９，５０  グランドパターン
５１ａ〜５８ａ  入力信号用ワイヤ接続パッド
５１ｂ〜５８ｂ  出力信号用ワイヤ接続パッド
６１ａ〜６８ａ  入力信号用配線パターン
６１ｂ〜６８ｂ  出力信号用配線パターン
７０  出力信号用コンタクト部材
７０Ａ  第１のコンタクト部材
７０Ｂ  第３のコンタクト部材
７２Ａ，７２Ｂ，８２Ａ，８２Ｂ  リード部
７４Ａ，８４Ａ  コンタクト部
７６Ａ，８６Ａ  第１の曲げ部
７８Ａ，８８Ａ  第２の曲げ部
８０  入力信号用コンタクト部材
８０Ａ  第２のコンタクト部材
８０Ｂ  第４のコンタクト部材
１００  平衡伝送用ケーブルコネクタ
１３０  平衡伝送用ケーブル
１４１〜１４８  ペア電線
【図１】
0005060385.tif 000002
【図２】
0005060385.tif 000003
【図３】
0005060385.tif 000004
【図４】
0005060385.tif 000005
【図５】
0005060385.tif 000006
【図６】
0005060385.tif 000007
【図７】
0005060385.tif 000008
【図８】
0005060385.tif 000009
【図９】
0005060385.tif 000010
【図１０】
0005060385.tif 000011
【図１１】
0005060385.tif 000012
【図１２Ａ】
0005060385.tif 000013
【図１２Ｂ】
0005060385.tif 000014
【図１３】
0005060385.tif 000015
【図１４Ａ】
0005060385.tif 000016
【図１４Ｂ】
0005060385.tif 000017
【図１４Ｃ】
0005060385.tif 000018
【図１５Ａ】
0005060385.tif 000019
【図１５Ｂ】
0005060385.tif 000020
【図１５Ｃ】
0005060385.tif 000021
【図１６Ａ】
0005060385.tif 000022
【図１６Ｂ】
0005060385.tif 000023
【図１６Ｃ】
0005060385.tif 000024
【図１７】
0005060385.tif 000025